(57)【要約】【課題】洗剤泡や水の侵入を防ぎ、乾燥性能の品質を高めた温風送風構造を提供すること。【解決手段】温風供給口２０は、開口部５５に温風噴出し方向に対して略直角な軸５３で支持されたガイド板５７を、開閉自在に並列して複数枚形成する構成とすることにより、開閉自在なガイド板５７は、必要ない時は閉じた状態であり、洗濯で発生する水しぶきや泡が、温風供給口２０より侵入することはなく、乾燥行程でのみ開口して温風を噴き出すことができるので、信頼性を向上させ、品質を高めることができる。【選択図】図２
2019088717.tif 000002
【特許請求の範囲】
【請求項１】
筺体内に弾性的に防振支持した外槽と、回転中心軸を略鉛直方向に有し前記外槽内に回転自在に配設し衣類を収容し通気孔を有する内槽と、前記内槽の内底部に設け衣類を攪拌する回転翼と、前記内槽および／または前記回転翼を回転駆動するモータと、前記外槽の上部に装着した外槽カバーと、前記外槽カバーに設けた衣類出し入れ口を開閉自在に覆う内蓋と、前記筺体の上部に装着され略中央部に衣類投入口を有する上部枠体と、前記上部枠体の後部内方に設けられ前記内槽内に温風循環経路を介して温風を供給する温風送風手段と、前記温風循環経路の下流側に接続された上部蛇腹状ホースと、前記外槽カバーに設けられ前記上部蛇腹状ホースに接続された前記内槽内へ略垂直方向に温風を噴き出す開口部を有する温風供給口と、前記モータ、温風送風手段などの動作を制御し、洗い、すすぎ、脱水、乾燥の一連の行程を逐次制御する制御手段とを備え、前記温風供給口は、前記開口部に温風噴出し方向に対して略直角な軸で支持されたガイド板を、開閉自在に並列して複数枚形成した洗濯乾燥機。
【請求項２】
前記ガイド板は、水平状態における長手方向の上面側の両端部に係止部を形成し、前記係止部は、反長手方向の一方の端部を前記ガイド板の上面よりはみ出て形成され、前記ガイド板が閉状態では、前記端部は隣接する前記ガイド板の軸の上方に位置して上面に当接する請求項１に記載の洗濯乾燥機。
【請求項３】
前記温風供給口は、前記上部蛇腹状ホースの下端部に水平状態で回転自在に遊嵌されており、前記開口部を２分するように中央部に形成された細長状の支柱を挟んで１８０°回転対称に設けられた複数のガイド板を有し、前記ガイド板は長手方向である支柱側の上面部にＬ字状にはみ出た係止部を形成し、前記ガイド板が閉状態では、前記係止部の端部が前記支柱の上面に当接する請求項１に記載の洗濯乾燥機。
【請求項４】
前記制御手段は、前記温風送風手段の送風ファンモータの回転数をコントロールして、供給する温風の風量を調整することにより、前記ガイド板に沿って噴き出る温風の方向を可変とする請求項１〜３のいずれか１項に記載の洗濯乾燥機。
【発明の詳細な説明】
【技術分野】
【０００１】
本発明は、洗い、すすぎ、脱水、乾燥行程を自動制御して行う洗濯乾燥機に関するものである。
【背景技術】
【０００２】
従来、この種の洗濯乾燥機は、槽上部に温風送風装置を設け、上方より槽内の洗濯物に温風を噴き付けて、洗濯物を乾燥させる機能が提案されている（例えば、特許文献１参照）。
【０００３】
図６は、特許文献１に記載された従来の洗濯乾燥機の縦断面図、図７は、同洗濯乾燥機の温風供給口の断面図である。
【０００４】
図６、図７において、乾燥用送風機８４は、その一端は吸気フィルター８５を介して機体外へと通じており、他端は、乾燥用送風機８４とともに温風送風手段を構成するヒータ８６を内部に有する温風供給路８７に接続され、上部蛇腹状ホース８８を介して外槽カバー８２に形成された温風供給口８９に繋がり、内槽９４内へ温風が供給されるように構成している。
【０００５】
温風供給口８９には、その上面側には、上方に延びる略円筒状の側壁部９０を設け、その側壁部９０の内部には、温風の風向きを変える目的でルーバー７０を一体で形成している。
【０００６】
ルーバー７０は、その上部７０ａは、略円筒状の側壁部９０の略円筒の軸方向と略平行に形成され、その下部７０ｂは、略湾曲状をなし、内槽９４の径方向に対し、略直角方向に面を形成している。
【０００７】
上記構成において、洗濯行程が終わり乾燥行程に入ると、排水弁８１を閉じるとともに、クラッチ９９を回転翼駆動側に切り換える。そしてモータ９７を駆動することにより、回転翼９５を正転、反転させて衣類を引っかけて攪拌しながら、乾燥用送風機８４とヒータ８６に通電して温風を温風供給口８９に送る。温風供給口８９から下方に向かって内槽９４に吹き込まれた温風は、衣類から水分を蒸発させた後、内槽９４の下方から上方に向かって上昇し、外槽カバー８３に形成した排気口７１を通して排気される。
【０００８】
このとき、温風は、排気口７１の外側に設けた排気フィルター７２を介して排気されるため、温風に含まれるリントを回収することができ、機体内にリントが散乱するのを防ぐことができる。
【先行技術文献】
【特許文献】
【０００９】
【特許文献１】特開２００４−８５４６号公報
【発明の概要】
【発明が解決しようとする課題】
【００１０】
しかしながら、前記従来の構成においては、温風供給口は常に開口しているので、例えば、使用者が上限を超えた衣類を内槽に投入した場合は、洗濯時に発生した泡や飛び跳ねた水が、温風供給口より温風供給路内に浸入して、乾燥用送風機やヒータへ到達し、それらの故障を誘発するという課題があった。
【００１１】
また、温風供給口のルーバーは固定されているので、衣類を乾燥する温風の風向きが一方向に限定され、衣類の乾燥ムラが発生する等、品質上の課題があった。
【００１２】
本発明は、前記従来の課題を解決するもので、洗濯時は温風供給口を閉じて、洗濯時に発生した泡や飛び跳ねた水が、送風手段や加熱手段に浸入するのを防ぎ、乾燥運転時に温風を噴き出すと開口することにより、信頼性を向上させた高品質であるとともに、温風の向きを可変することにより、衣類の乾燥ムラを防ぐという、乾燥性能に優れた洗濯乾燥機を提供することを目的とする。
【課題を解決するための手段】
【００１３】
前記従来の課題を解決するために、本発明の洗濯乾燥機は、筺体内に弾性的に防振支持した外槽と、回転中心軸を略鉛直方向に有し前記外槽内に回転自在に配設し衣類を収容し通気孔を有する内槽と、前記内槽の内底部に設け衣類を攪拌する回転翼と、前記内槽および／または前記回転翼を回転駆動するモータと、前記外槽の上部に装着した外槽カバーと、前記外槽カバーに設けた衣類出し入れ口を開閉自在に覆う内蓋と、前記筺体の上部に装着され略中央部に衣類投入口を有する上部枠体と、前記上部枠体の後部内方に設けられ前記内槽内に温風循環経路を介して温風を供給する温風送風手段と、前記温風循環経路の下流側に接続された上部蛇腹状ホースと、前記外槽カバーに設けられ前記上部蛇腹状ホースに接続された前記内槽内へ略垂直方向に温風を噴き出す開口部を有する温風供給口と、前記モータ、温風送風手段などの動作を制御し、洗い、すすぎ、脱水、乾燥の一連の行程を逐次制御する制御手段とを備え、前記温風供給口は、前記開口部に温風噴出し方向に対して略直角な軸で支持されたガイド板を、開閉自在に並列して複数枚形成した構成としたものである。
【００１４】
これによって、開閉自在なガイド板は、必要ない時は閉じた状態であり、洗濯で発生する水しぶきや泡が、温風供給口より侵入することはなく、乾燥行程でのみ開口して温風を噴き出すことができるので、信頼性を向上させ、品質を高めることができる。
【発明の効果】
【００１５】
本発明の洗濯乾燥機は、洗濯時は温風供給口を閉じて、洗濯時に発生した泡や飛び跳ねた水が、送風手段や加熱手段に浸入するのを防ぎ、乾燥運転時に温風を噴き出すと開口することにより、信頼性を向上させ、品質を高めることができる。
【００１６】
また、温風の向きを可変することにより、衣類の乾燥ムラを防止し、乾燥性能を向上することができる。
【図面の簡単な説明】
【００１７】
【図１】本発明の実施の形態１における洗濯乾燥機の縦断面図
【図２】（ａ）同洗濯乾燥機の温風供給口の下から見た斜視図（ｂ）同洗濯乾燥機の温風供給口の閉時の上方からの平面図
【図３】（ａ）同洗濯乾燥機の温風供給口の閉時の断面図（ｂ）同洗濯乾燥機の温風供給口の開時の断面図
【図４】（ａ）本発明の実施の形態２における洗濯乾燥機の温風供給口の下から見た斜視図（ｂ）同洗濯乾燥機の温風供給口の閉時の上方からの平面図
【図５】（ａ）同洗濯乾燥機の温風供給口の開時の上方からの平面図（ｂ）同洗濯乾燥機の温風供給口の開時の断面図
【図６】従来の洗濯乾燥機の縦断面図
【図７】従来の洗濯乾燥機の温風供給口の断面図
【発明を実施するための形態】
【００１８】
第１の発明は、筺体内に弾性的に防振支持した外槽と、回転中心軸を略鉛直方向に有し前記外槽内に回転自在に配設し衣類を収容し通気孔を有する内槽と、前記内槽の内底部に設け衣類を攪拌する回転翼と、前記内槽および／または前記回転翼を回転駆動するモータと、前記外槽の上部に装着した外槽カバーと、前記外槽カバーに設けた衣類出し入れ口を開閉自在に覆う内蓋と、前記筺体の上部に装着され略中央部に衣類投入口を有する上部枠体と、前記上部枠体の後部内方に設けられ前記内槽内に温風循環経路を介して温風を供給する温風送風手段と、前記温風循環経路の下流側に接続された上部蛇腹状ホースと、前記外槽カバーに設けられ前記上部蛇腹状ホースに接続された前記内槽内へ略垂直方向に温風を噴き出す開口部を有する温風供給口と、前記モータ、温風送風手段などの動作を制御し、洗い、すすぎ、脱水、乾燥の一連の行程を逐次制御する制御手段とを備え、前記温風供給口は、前記開口部に温風噴出し方向に対して略直角な軸で支持されたガイド板を、開閉自在に並列して複数枚形成した洗濯乾燥機とすることにより、開閉自在なガイド板は、必要ない時は閉じた状態であり、洗濯で発生する水しぶきや泡が、温風供給口より侵入することはなく、乾燥行程でのみ開口して温風を噴き出すことができるので、信頼性を向上させ、品質を高めることができる。
【００１９】
第２の発明は、特に、第１の発明の前記ガイド板は、水平状態における長手方向の上面側の両端部に係止部を形成し、前記係止部は、反長手方向の一方の端部を前記ガイド板の上面よりはみ出て形成され、前記ガイド板が閉状態では、前記端部は隣接する前記ガイド板の軸の上方に位置して上面に当接する洗濯乾燥機とすることにより、開閉自在なガイド板は、必要ない時は確実に閉じることができるので、洗濯で発生する水しぶきや泡が、温風供給口より侵入することはなく、乾燥行程でのみ開口して温風を噴き出すことができるので、信頼性を向上させ、品質を高めることができる。
【００２０】
第３の発明は、特に、第１の発明の前記温風供給口は、前記上部蛇腹状ホースの下端部に水平状態で回転自在に遊嵌されており、前記開口部を２分するように中央部に形成された細長状の支柱を挟んで１８０°回転対称に設けられた複数のガイド板を有し、前記ガイド板は長手方向である支柱側の上面部にＬ字状にはみ出た係止部を形成し、前記ガイド板が閉状態では、前記係止部の端部が前記支柱の上面に当接する洗濯乾燥機とすることにより、開閉自在なガイド板は、必要ない時は確実に閉じることができるので、洗濯で発生する水しぶきや泡が、温風供給口より侵入することはなく、乾燥行程でのみ開口して温風を噴き出すことができるとともに、温風により温風供給口を水平状態で回転させ、内槽内に回転流を発生させることができるので、信頼性を向上させ、衣類の乾燥ムラを防止して、品質を高めることができる。
【００２１】
第４の発明は、特に、第１〜第３のいずれか１つの発明の前記制御手段は、前記温風送風手段の送風ファンモータの回転数をコントロールして、供給する温風の風量を調整することにより、前記ガイド板に沿って噴き出る温風の方向を可変とする洗濯乾燥機とすることにより、衣類量の多少や乾燥状態など必要に応じて、より最適な乾燥風にすることができるので、乾燥効率を向上することができる。
【００２２】
以下、発明の実施の形態について、図面を参照しながら説明する。また、この実施の形態によって本発明が限定されるものではない。
【００２３】
（実施の形態１）
図１は、本発明の第１の実施の形態における洗濯乾燥機の縦断面図を示したものである。
【００２４】
図１において、筺体１は、内部に複数のサスペンション２によって弾性的に吊り下げた
外槽３を設け、脱水時の振動をサスペンション２によって吸収する構成としている。
【００２５】
外槽３の内部には、衣類および乾燥対象物を収容する内槽４を中空で２重構造とした洗濯・脱水軸５を中心に回転自在に配設し、内槽４の内底部に衣類や乾燥対象物を攪拌する回転翼６を回転自在に配設している。
【００２６】
また、内槽４の内部周壁には通気孔４ａを多数設けるとともに、上方には振動低減用の流体バランサー７を設けている。
【００２７】
モータ８は、外槽３の外底部に取り付けられ、洗濯または脱水時に回転力の伝達を洗濯・脱水軸５に切り換えるクラッチ９と洗濯・脱水軸５を介して、内槽４または回転翼６に連結している。
【００２８】
回転翼６は、外周部に傾斜面１０を有する略鍋型の形状をし、攪拌用突出部１１を形成し、洗濯行程時に衣類が攪拌されるとともに、乾燥行程において、乾燥対象物を回転翼６の回転による遠心力で傾斜面に沿って上方へと舞い上がりやすくしている。つまり、衣類は攪拌により、左右（回転方向）に入れ替わるとともに、上下にも入れ替わるという動きをするように構成されている。
【００２９】
熱交換ダクト１２は、循環する湿った温風（循環風）を除湿するもので、一端を伸縮自在の接続ダクト１３を介して外槽３の下部に設けた排水経路口１４に接続し、他端を、温風循環経路１７の入り口側で、送風ファン１５の下部に位置する循環風受け室４５の一端に接続している。
【００３０】
送風ファン１５の上部には、ヒータ１６が設けられ、温風循環経路１７の出口側は、温風供給口２０を有する上部蛇腹状ホース１８に接続されており、循環風受け室４５から内槽４へ繋がり循環する温風循環経路１７を構成し、この温風循環経路１７を含めた前記各部品にて、温風送風手段２８を構成している。
【００３１】
温風循環経路１７の入り口側には、入口温度検知手段３５が、出口側には出口温度検知手段３６が設けられ、乾燥行程時の循環風温度を検知している。
【００３２】
循環風受け室４５内には、フィルター４６が設けられており、循環風は、このフィルター４６を通って循環しており、フィルター４６で、衣類から発生した糸くずなどを捕集している。
【００３３】
温風送風手段２８の入り口側の循環風受け室４５には、注水口２６が形成され、この注水口２６は、筺体１上部に配設された上部枠体４８に設けられた支持部材５０に装着された給水弁３２と、注水ホース２７で接続されている。
【００３４】
外槽３には、外槽３の上面を気密的に覆う外槽カバー１９を設けており、この外槽カバー１９に伸縮自在の上部蛇腹状ホース１８からの温風供給口２０を略垂直方向に開口している。また、外槽カバー１９には衣類出し入れ口１９ａを設けるとともに、衣類出し入れ口１９ａを開閉自在に覆う内蓋２１に設け、内蓋２１を開けることで衣類を出し入れするようにしている。なお、温風供給口２０については、図２以降で詳述する。
【００３５】
筺体１の上部に配設された上部枠体４８には、略中央部に衣類投入口４７が形成されており、衣類投入口４７を覆うように蓋体４９が開閉自在に設けられている。
【００３６】
外槽３の底部には、外槽３内の水を排水する排水弁２２を設け、排水ダクト２３を介し
て熱交換ダクト１２と接続ダクト１３とに接続し、接続ダクト１３と熱交換ダクト１２からの排水を排水ダクト２３、排水弁２２に導き、排水ホース２４から機外へ排水するようにしている。
【００３７】
制御装置４２は、一体集中的に形成するとともに、筺体１の背面部（裏カバー）３０に略垂直に配設し、内方が、カバー４３にて覆われ保護されている。
【００３８】
また、制御装置４２は、モータ８、給水弁３２、排水弁２２、温風送風手段２８の一部を構成するヒータ１６、送風ファン１５などを制御して、洗い、すすぎ、脱水、乾燥の一連の行程を逐次制御するもので、マイクロコンピュータからなる制御手段（図示せず)を備えている。
【００３９】
運転コース等のモードや各種機能の選択は、筺体１の前面側上部に設けられた操作表示部３９から使用者が入力設定手段３７へ入力して行い、制御手段が、その入力情報を基に表示手段（図示せず）で表示して使用者に知らせる。
【００４０】
図２（ａ）は、本発明の第１の実施の形態における洗濯乾燥機の温風供給口の下から見た斜視図、図２（ｂ）は、同洗濯乾燥機の温風供給口の閉時の上方からの平面図、図３（ａ）は、同洗濯乾燥機の温風供給口の閉時の断面図、図３（ｂ）は、同洗濯乾燥機の温風供給口の開時の断面図である。
【００４１】
図２（ａ）、（ｂ）、図３（ａ）、（ｂ）において、上部蛇腹状ホース１８の下端部に開口部５５を有する温風供給口２０が設けられ、温風供給口２０には、温風噴出し方向に対して略直角な軸５３で支持されたガイド板５７が開閉自在に並列して４枚設けられている。
【００４２】
ガイド板５７は、水平状態における長手方向の上面側の両端部に、つまり、温風循環経路１７の上流側の両端部に、係止部５８を形成している。
【００４３】
係止部５８は、反長手方向の一方側に、その端部５８ａをガイド板５７の上面よりはみ出て形成されており、これにより、ガイド板５７は軸５３を中心に偏荷重となっている。そして、ガイド板５７が閉状態では、隣接するガイド板５７の上面に当接するようになっている。この時、端部５８ａは隣接するガイド板５７の軸５３の上方に位置するように形成してある。なお、４枚のガイド板５７の端にあるガイド板５７、図３（ａ）で左端にあるガイド板５７は、閉状態では係止部５８の端部５８ａが温風供給口２０の内周側で、４枚のガイド板５７の外側に略水平に形成されたガイド板受け部５９の片方に上方より当接するようになっている。
【００４４】
以上のように構成された洗濯乾燥機について、以下、その動作、作用を説明する。
【００４５】
洗い行程では、蓋体４９と内蓋２１を開けて、内槽４に衣類（洗濯物）を投入し運転を開始すると、給水弁３２を開いて所定の水位まで給水した後、モータ８を駆動する。このとき、伝達機構部のクラッチ９によりモータ８の動力を、洗濯・脱水軸５の洗濯軸を介して回転翼６に伝達し、回転翼６を回転させて衣類を水中で攪拌して洗い、その後、排水弁２２を開いて排水し、すすぎ行程では、再度給水して洗い行程と同様の動作にて衣類をすすぐ。
【００４６】
脱水行程では、すすぎ終了後、排水弁２２を開いて内槽４内の水を排水した後、伝達機構部のクラッチ９を脱水側に切り換えて、モータ８の動力を、洗濯・脱水軸５の脱水軸を介して内槽４に伝達して回転させ、衣類に遠心力を与えることにより、水分を衣類から分
離する。
【００４７】
ここまでの行程では、４枚のガイド板５７は、軸５３を中心に偏荷重となっており、係止部５８側が重たいので、図３（ａ）で軸５３を中心に反時計回りに回転しようとするが、端部５８ａが隣接するガイド板５７の軸５３の上方まで位置しているので、略水平状態に保持されている。端にあるガイド板５７の端部５８ａはガイド板受け部５９に当接している。つまり、温風供給口２０は、４枚のガイド板５７により閉じられている。脱水行程が終了すると、引きつづいて乾燥行程に移行する。
【００４８】
乾燥行程に入ると、モータ８を駆動して回転翼６に伝達し、回転翼６をゆっくり回転させることにより、脱水時の遠心力により内槽４の内壁に張り付いた衣類を引き剥がした後、所定の時間だけ内槽４を低速で回転させながら衣類を乾燥する槽回転乾燥行程を行う。
【００４９】
さらに、その後、回転翼６を瞬間的に正逆の方向に強力に回転させて、衣類を内槽４内で上方に放り上げるようにして攪拌しながら乾燥する攪拌乾燥行程を行う。
【００５０】
同時に、温風送風手段２８を駆動させることにより、外槽３から熱交換ダクト１２などを介して吸気された空気は、ヒータ１６を通って加熱された温風となって、温風供給口２０より内槽４の内部に送り込まれようとする。
【００５１】
この時、温風が温風供給口２０のガイド板５７を押すことになるが、温風で押されたガイド板５７は、図３（ｂ）で軸５３を中心に時計回りに回転する。これにより、温風供給口２０が開口し、ガイド板５７に沿って温風が内槽４に向かって噴き出てくる。
【００５２】
なお、ガイド板５７の回転による傾斜は、温風の噴出し方向を越えることはないので、略垂直方向が開時の限界となる。よって、ガイド板５７の傾斜する範囲は水平から垂直の間、すなわち０〜９０°に位置することになる。つまり、温風の量をコントロールすることによって、ガイド板５７の角度は、０〜９０°の間で調整することが可能となる。
【００５３】
すなわち、制御手段（図示せず）は、衣類量の多少や乾燥状態など必要に応じて、温風送風手段２８の送風ファンモータ（図示せず）の回転数をコントロールして、送風ファン１５が供給する温風の風量を調整することにより、ガイド板５７に沿って噴き出る温風の方向を変えている。
【００５４】
温風供給口２０より内槽４に吹き込まれた温風は、衣類から水分を蒸発させた後、外槽３の下部に設けた排水経路口１４、接続ダクト１３、熱交換ダクト１２内を通過しているとき、自然冷却されて湿った温風は除湿され、循環風受け室４５へ入り、フィルター４６を通過してから送風ファン１５へ戻る。この循環路で温風を循環させることにより、内槽４内の衣類を乾燥させることができる。
【００５５】
以上のように、本実施の形態１においては、温風供給口２０は、温風噴出し方向に対して略直角な軸５３で支持されたガイド板５７を、開閉自在に並列して複数枚形成する構成とすることにより、開閉自在なガイド板５７は、必要ない時は閉じた状態であり、洗濯で発生する水しぶきや泡が、温風供給口２０より侵入することはなく、乾燥行程でのみ開口して温風を噴き出すことができるので、信頼性を向上させ、品質を高めることができる。
【００５６】
また、ガイド板５７は、水平状態における長手方向の上面側の両端部に係止部を形成し、係止部５８は、反長手方向の一方の端部５８ａをガイド板５７の上面よりはみ出て形成され、ガイド板５７が閉状態では、端部５８ａは隣接するガイド板５７の軸５３の上方に位置して上面に当接する構成とすることにより、開閉自在なガイド板５７は、必要ない時
は確実に閉じることができるので、洗濯で発生する水しぶきや泡が、温風供給口２０より侵入することはなく、乾燥行程でのみ開口して温風を噴き出すことができるので、信頼性を向上させ、品質を高めることができる。
【００５７】
また、温風送風手段２８の送風ファンモータの回転数をコントロールして、供給する温風の風量を調整することにより、ガイド板５７に沿って噴き出る温風の方向を可変する構成とすることにより、衣類量の多少や乾燥状態など必要に応じて、より最適な乾燥風にすることができるので、乾燥効率を向上することができる。
【００５８】
（実施の形態２）
図４（ａ）は、本発明の第２の実施の形態における洗濯乾燥機の温風供給口の下から見た斜視図、図４（ｂ）は、同温風供給口の閉時の上方からの平面図、図５（ａ）は、同温風供給口の開時の上方からの平面図、図５（ｂ）は、同温風供給口の開時の断面図である。なお、温風供給口の構成以外は、第１の実施の形態と同じであり、説明を省略する。
【００５９】
図４（ａ）、（ｂ）、図５（ａ）、（ｂ）において、上部蛇腹状ホース１８の下端部に開口部６５を有する温風供給口４０が遊嵌されており、温風供給口４０は水平状態で回転自在となっている。
【００６０】
温風供給口４０には、開口部６５を２分する細長状の支柱６１が中央部にあり、また、温風噴出し方向に対して略直角な軸６３で支持されたガイド板６７の３枚が開口部６５の半分側に並列して開閉自在に設けられ、同様に軸６３で支持されたガイド板Ｂ６２の３枚が開口部６５の残り半分側に並列して開閉自在に設けられている。ガイド板６７とガイド板Ｂ６２の反長手方向の両側には平面部６９が支柱６１と一体に形成されており、ガイド板６７とガイド板Ｂ６２が閉じると、平面部６９、支柱６１と合わせて、開口部６５全体が閉状態となる。
【００６１】
また、ガイド板６７とガイド板Ｂ６２には、長手方向である支柱６１側の上面部に係止部６８が形成されており、これによりガイド板６７とガイド板Ｂ６２は軸６３を中心に偏荷重となっている。なお、ガイド板６７とガイド板Ｂ６２は、係止部６８を形成した状態で、１８０°回転対称となっている。
【００６２】
係止部６８は、端部６８ａがガイド板６７、ガイド板Ｂ６２の上面より支柱６１側にＬ字状にはみ出して形成されており、ガイド板６７は、図５（ｂ）で開状態から反時計回りに軸６３を中心に回転し閉状態になった時に支柱６１の上面に当接し、ガイド板Ｂ６２は、図５（ｂ）で開状態から時計回りに軸６３を中心に回転し閉状態になった時に支柱６１の上面に当接するようになっている。
【００６３】
以上のように構成された洗濯乾燥機について、以下、その動作、作用を説明する。
【００６４】
洗濯時を含む温風が停止しているときは、ガイド板６７とガイド板Ｂ６２は、軸６３を中心に偏荷重で重たい係止部６８側が下がって、係止部６８が支柱６１の上面に当接して、水平状態で留まっているので、温風供給口４０は、合計６枚のガイド板６７とガイド板Ｂ６２により閉じられている。
【００６５】
乾燥行程において、温風送風手段２８を駆動させることにより、外槽３から熱交換ダクト１２などを介して吸気された空気は、ヒータ１６を通って加熱された温風となって、温風供給口４０より内槽４の内部に送り込まれようとすると、温風が送風ダクト２９に備えたガイド板６７とガイド板Ｂ６２を押す。すると、ガイド板６７とガイド板Ｂ６２が、軸６３を中心に回転して、温風供給口４０が開口し、温風がガイド板６７及びガイド板Ｂ６
２に沿って内槽４に向かって噴き出てくる。
【００６６】
この時、温風の量によって、ガイド板６７及びガイド板Ｂ６２の傾斜角度は０〜９０°に可変可能であるので、０より大きく９０°より小さく傾斜した場合は、それぞれのガイド板の面に沿って温風の向きを変える際に、ガイド面に垂直な力が働く。
【００６７】
そして、ガイド板６７及びガイド板Ｂ６２は、左右逆向き備わっているので、この面に働く力の横方向の分力は支柱６１を境に逆向きとなる。よって、温風供給口４０に回転力が働き、温風供給口４０は上部蛇腹状ホース１８の下端部に遊嵌されて回転自在となっているので、回転力が温風供給口４０を保持している摩擦力に勝ると、温風供給口４０は、回転を始める。
【００６８】
よって、温風供給口４０が回転しながら温風を噴出すので、内槽４内に温風の回転流を発生させ、温風を偏りなく内槽４の全方向に当てることができ、衣類の乾燥ムラ発生を防止することができる。
【００６９】
以上のように、本実施の形態２においては、温風供給口４０は、上部蛇腹状ホース１８の下端部に水平状態で回転自在に遊嵌されており、開口部６５を２分するように中央部に形成された細長状の支柱６１を挟んで１８０°回転対称に設けられた複数のガイド板６７とガイド板Ｂ６２を有し、ガイド板６７とガイド板Ｂ６２は長手方向である支柱６１側の上面部にＬ字状にはみ出た係止部６８を形成し、ガイド板６７とガイド板Ｂ６２が閉状態では、係止部６８の端部６８ａが支柱６１の上面に当接する構成とすることにより、開閉自在なガイド板６７とガイド板Ｂ６２は、必要ない時は確実に閉じることができるので、洗濯で発生する水しぶきや泡が、温風供給口４０より侵入することはなく、乾燥行程でのみ開口して温風を噴き出すことができるとともに、温風により温風供給口４０を水平状態で回転させ、内槽４内に回転流を発生させることができるので、信頼性を向上させ、衣類の乾燥ムラを防止して、品質を高めることができる。
【産業上の利用可能性】
【００７０】
以上のように、本発明にかかる洗濯乾燥機は、温風供給口のガイド板を、必要ない時は閉じた状態にし、乾燥行程でのみ開口して温風を噴き出すことが可能となり、信頼性を向上させ、品質を高めることができるので、ドラム式など乾燥機能を有する他の洗濯乾燥機の用途に適用できる。
【符号の説明】
【００７１】
１  筺体
３  外槽
４  内槽
４ａ  通気孔
６  回転翼
８  モータ
１７  温風循環経路
１８  上部蛇腹状ホース
２０  温風供給口
２８  温風送風手段
４０  温風供給口
４８  上部枠体
５３  軸
５７  ガイド板
５８  係止部
５８ａ  端部
６１  支柱
６２  ガイド板Ｂ
６３  軸
６７  ガイド板
６８  係止部
６８ａ  端部
【図１】
2019088717.tif 000003
【図２】
2019088717.tif 000004
【図３】
2019088717.tif 000005
【図４】
2019088717.tif 000006
【図５】
2019088717.tif 000007
【図６】
2019088717.tif 000008
【図７】
2019088717.tif 000009